(57)【要約】【課題】ラインに弛みが生じたり、魚が暴れたりしても、針先部に掛かった魚のバラシを効果的に防止できる釣り針を提供する。【解決手段】シングルフックを適用した釣り針本体７０の胴部７１に当該胴部７１のチモト７３側より針先部７２側へ延びる線材３を設ける。線材３を、塑性変形し難い合成樹脂により形成し、胴部７１のチモト７３側に基端を固定した状態で先端を針先部７２の先端よりも若干湾曲部７５寄りに向かう方向へ延ばしている。線材３に、針先部７２に掛かった魚の部位を釣り針本体７０のフトコロ７４内に閉じ込めるように、胴部７１に沿う方向へ弾性変形した際に先端を針先部７２の先端よりも若干湾曲部７５寄りに向かう方向へ復帰させるような付勢力を作用させる一方フトコロ７４から針先部７２を経て離反する方向へ弾性変形した際に先端を針先部７２の先端よりも若干湾曲部７５寄りに向かう方向へ復帰させるような付勢力を作用させている。【選択図】図７
0003231884.tif 000002
【実用新案登録請求の範囲】
【請求項１】
釣り針本体の胴部に当該胴部のチモト側より湾曲部を超えて針先部側へ延びる線材を設けており、
前記線材は、塑性変形し難い材料により形成され、前記胴部のチモト側に基端を固定した状態で先端が前記針先部の先端よりも若干湾曲部寄りに向かう方向へ延びているとともに、
前記線材には、前記針先部に掛かった魚の部位を前記フトコロ内に閉じ込めるように、前記胴部に沿う方向へ弾性変形した際に先端を前記針先部の先端よりも湾曲部寄りに向かう方向へ復帰させるような付勢力が作用している一方前記釣り針本体のフトコロから前記針先部を経て離反する方向へ弾性変形した際に先端を前記針先部の先端よりも湾曲部寄りに向かう方向へ復帰させるような付勢力が作用していることを特徴とする釣り針。
【請求項２】
前記線材は、その基端において先端が前記針先部の先端よりも湾曲部寄りに向かうように屈曲する屈曲部を有し、この屈曲部より先端側が直線状に延びている請求項２に記載の釣り針。
【請求項３】
前記釣り針本体としては、前記胴部の軸を中心にして２本の針先部が互いに９０°ピッチで離間するダブルフックが適用され、
前記線材は、前記釣り針本体のチモトより前記屈曲部においてそれぞれ屈曲された状態で先端がそれぞれに該当する前記針先部の先端よりも湾曲部寄りに向かう方向へ延びている請求項２に記載の釣り針。
【請求項４】
前記釣り針本体としては、前記胴部の軸を中心にして３本の針先部が互いに１２０°ピッチで離間するトリプルフックが適用され、
前記線材は、前記釣り針本体のチモトより前記屈曲部においてそれぞれ屈曲された状態で先端がそれぞれに該当する前記針先部の先端よりも湾曲部寄りに向かう方向へ延びている請求項２に記載の釣り針。
【請求項５】
前記針先部には、当該針先部に掛かった魚の抜け落ちを防止するカエシが設けられており、
前記線材の先端は、前記針先部のカエシに向かう方向へ延びている請求項１〜４のいずれか１つに記載の釣り針。
【考案の詳細な説明】
【技術分野】
【０００１】
本考案は、釣り針の改良に関する。
【背景技術】
【０００２】
従来より、釣り針としては、その釣り針本体の胴部の一端側にチモトを備える一方、胴部の他端側において内側にフトコロを有するように湾曲する湾曲部を備え、この湾曲部の先端に鋭利に突出する針先とを有する針先部を備えたものが知られている（特許文献１参照）。
【先行技術文献】
【特許文献】
【０００３】
【特許文献１】特開２００４−１２１２０４号公報
【考案の概要】
【考案が解決しようとする課題】
【０００４】
ところで、針先部に掛かった魚が当該針先部から逃れてしまうといった所謂バラシが発生することがある。その場合、針先部に掛かった魚を針先部から抜け落ちないように止めるカエシを設けたものもある。しかし、針先部に掛かった魚が暴れると、その針先部に掛かった魚の体の部位が拡がってしまい、これでは拡がった魚の体の部位がカエシを素通りしてしまうおそれがあり、魚のバラシの発生が危惧される。
【０００５】
本願はかかる点に鑑みてなされたものであり、その目的とするところは、魚が暴れても、針先部に掛かった魚のバラシを効果的に防止することができる釣り針を提供することにある。
【課題を解決するための手段】
【０００６】
前記目的を達成するため、本考案では、釣り針として、釣り針本体の胴部に当該胴部のチモト側より湾曲部を超えて針先部側へ延びる線材を設ける。更に、前記線材を、塑性変形し難い材料により形成し、前記胴部のチモト側に基端を固定した状態で先端を前記針先部の先端よりも若干湾曲部寄りに向かう方向へ延ばしている。そして、前記線材に、前記針先部に掛かった魚の体の部位を前記フトコロ内に閉じ込めるように、前記胴部に沿う方向へ弾性変形した際に先端を前記針先部の先端よりも湾曲部寄りに向かう方向へ復帰させるような付勢力を作用させている一方前記釣り針本体のフトコロから前記針先部を経て離反する方向へ弾性変形した際に先端を前記針先部の先端よりも湾曲部寄りに向かう方向へ復帰させるような付勢力を作用させることを特徴としている。
【０００７】
また、前記線材は、その基端において先端が前記針先部の先端よりも湾曲部寄りに向かうように屈曲する屈曲部を有し、この屈曲部より先端側が直線状に延ばしていてもよい。
【０００８】
更に、前記釣り針本体として、前記胴部の軸を中心にして２本の針先部が互いに９０°ピッチで離間するダブルフックを適用し、前記線材を、前記釣り針本体のチモトより前記屈曲部においてそれぞれ屈曲した状態で先端がそれぞれに該当する前記針先部の先端よりも湾曲部寄りに向かう方向へ延ばしていてもよい。
【０００９】
これに対し、前記釣り針本体として、前記胴部の軸を中心にして３本の針先部が互いに１２０°ピッチで離間するトリプルフックを適用し、前記線材を、前記釣り針本体のチモトより前記屈曲部においてそれぞれ屈曲された状態で先端をそれぞれに該当する前記針先部の先端よりも湾曲部寄りに向かう方向へ延ばしていてもよい。
【００１０】
また、前記針先部に、当該針先部に掛かった魚の抜け落ちを防止するカエシを設ける。そして、前記線材の先端を、前記針先部のカエシに向かう方向へ延ばしていてもよい。
【考案の効果】
【００１１】
以上、要するに、釣り針本体の胴部のチモト側に基端を固定した状態で先端を針先部の先端よりも若干湾曲部寄りに向かう方向へ延ばした線材を、塑性変形し難い材料により形成することで、針先に掛かった魚の体の部位をフトコロ内に閉じ込めるように、胴部に沿う方向へ弾性変形した際や釣り針本体のフトコロから針先部を経て離反する方向へ弾性変形した際に、先端が針先部の先端よりも若干湾曲部寄りに向かう方向へ復帰するように付勢する付勢力を線材に作用させている。
【００１２】
このため、針先部の針先が魚の体の部位に埋まった状態では線材が胴部に沿う方向へ弾性変形すると、先端を針先部の先端よりも若干湾曲部寄りに向かう方向へ復帰させるような付勢力が線材に作用している。このとき、魚の体の部位に埋まった針先部に対し線材の付勢力によって針先が埋まった魚の体の部位を線材により押し付けることでフトコロ内に閉じ込めている。
【００１３】
一方、針先が魚の体の部位を貫通した状態では線材が釣り針本体のフトコロから針先を経て離反する方向へ弾性変形すると、先端を針先部の先端よりも若干湾曲部寄りに向かう方向へ復帰させるような付勢力が線材に作用している。このとき、魚の体の部位を貫通した針先部に対し線材の先端が付勢力によって元通り復帰しようとすることで、針先とこの針先が貫通した魚の体の部位を線材によってカラビラのようにフトコロ内に閉じ込めている。
【００１４】
これにより、ラインに弛みが生じたり、魚が暴れたりしても、針先部に掛かった魚のバラシを効果的に防止することができる。
【００１５】
また、線材の基端において屈曲部により先端が針先部の先端よりも若干湾曲部寄りに向かうように屈曲した状態で当該線材の先端側を直線状に延ばすことで、線材の先端を簡単に針先部の先端よりも若干湾曲部寄りに向かわせることができ、シンプルな構造の線材を提供することができる。
【００１６】
更に、ダブルフックを適用した釣り針本体のチモトより屈曲部においてそれぞれ屈曲させた状態で各線材の先端をそれぞれに該当する針先部の先端よりも若干湾曲部寄りに向かう方向へ延ばすことで、ダブルフックの釣り針本体の針先が魚の体の部位に埋まった際に針先部に対し線材の付勢力によって魚の体の部位を押し付けてフトコロ内に閉じ込める一方、ダブルフックの釣り針本体の針先が魚の体の部位を貫通した際に針先部に対し線材の付勢力によって魚の体の部位をカラビラのようにフトコロ内に閉じ込める。これにより、ラインに弛みが生じたり、魚が暴れたりしても、ダブルフックの釣り針本体の針先部に掛かった魚のバラシを効果的に防止することができる。
【００１７】
これに対し、トリプルフックを適用した釣り針本体のチモトより屈曲部においてそれぞれ屈曲させた状態で各線材の先端をそれぞれに該当する針先部の先端よりも若干湾曲部寄りに向かう方向へ延ばすことで、トリプルフックの釣り針本体の針先が魚の体の部位に埋まった際に針先部に対し線材の付勢力によって魚の体の部位を押し付けてフトコロ内に閉じ込める一方、トリプルフックの釣り針本体の針先が魚の体の部位を貫通した際に針先部に対し線材の付勢力によって魚の体の部位をカラビラのようにフトコロ内に閉じ込める。これにより、ラインに弛みが生じたり、魚が暴れたりしても、トリプルフックの釣り針本体の針先部に掛かった魚のバラシを効果的に防止することができる。
【００１８】
また、針先部にカエシを設け、このカエシに向かう方向へ線材の先端を延ばすことで、線材による魚のバラシ防止効果に加え、カエシによる魚のバラシ防止効果も発揮され、より効果的に魚のバラシを防止することができる。
【図面の簡単な説明】
【００１９】
【図１】本考案の第１の実施の形態に係るシングルフックの釣り針本体を備えた釣り針を正面から見た正面図である。
【図２】図１の釣り針を背面から見た背面図である。
【図３】図１の釣り針を右側方から見た右側面図である。
【図４】図１の釣り針を左側方から見た左側面図である。
【図５】図１の釣り針を上方から見た平面図である。
【図６】図１の釣り針を下方から見た底面図である。
【図７】図１の釣り針を斜め側方から見た斜視図である。
【図８】図１の釣り針の使用状態を示す側面図である。
【図９】図１の釣り針本体の針先が魚の体の部位に埋まった際の線材の状態を示す説明図である。
【図１０】図１の釣り針本体の針先が魚の体の部位を貫通した際の線材の状態を示す説明図である。
【図１１】本考案の第２の実施の形態に係るダブルフックの釣り針本体を備えた釣り針を正面から見た正面図である。
【図１２】図１１の釣り針を上方から見た平面図である。
【図１３】図１１の釣り針を斜め側方から見た斜視図である。
【図１４】本考案の第３の実施の形態に係るトリプルフックの釣り針本体を備えた釣り針を正面から見た正面図である。
【図１５】図１４の釣り針を背面から見た背面図である。
【図１６】図１４の釣り針を右側方から見た右側面図である。
【図１７】図１４の釣り針を左側方から見た左側面図である。
【図１８】図１４の釣り針を上方から見た平面図である。
【図１９】図１４の釣り針を下方から見た底面図である。
【図２０】図１４の釣り針を斜め側方から見た斜視図である。
【図２１】図１４の釣り針の使用状態を示す側面図である。
【図２２】図１４釣り針本体の針先が魚の体の部位に埋まった際の線材の状態を示す説明図である。
【図２３】図１４の釣り針本体の針先が魚の体の部位を貫通した際の線材の状態を示す説明図である。
【図２４】本考案の第１の実施の形態の変形例に係るシングルフックの釣り針本体を備えた釣り針を右側方から見た右側面図である。
【図２５】本考案の第２の実施の形態の変形例に係るダブルフックの釣り針本体を備えた釣り針を正面から見た正面図である。
【図２６】本考案の第３の実施の形態の変形例に係るトリプルフックの釣り針本体を備えた釣り針を右側方から見た右側面図である。
【考案を実施するための形態】
【００２０】
以下、本考案の実施の形態を図面に基づいて説明する。
【００２１】
図１は本考案の第１の実施の形態に係るシングルフックの釣り針本体を備えた釣り針を正面から見た正面図、図２は図１の釣り針を背面から見た背面図をそれぞれ示している。また、図３は図１の釣り針を右側方から見た右側面図、図４は図１の釣り針を左側方から見た左側面図をそれぞれ示している。更に、図５は図１の釣り針を上方から見た平面図、図６は図１の釣り針を下方から見た底面図をそれぞれ示している。
【００２２】
図１〜図６に示すように、釣り針７は、シングルフックを適用した釣り針本体７０を備えている。この釣り針本体７０は、単一の胴部７１の一端側（図１〜図４では上端側）に設けられたチモト７３を備えている。このチモト７３は、円環状に折り曲げて形成され、その折り曲げた折り返し端が接着剤２１により胴部７１の一端側に一体的に固着されている。
【００２３】
図７は図１の釣り針７を斜め側方から見た斜視図を示している。この図７にも示すように、釣り針本体７０は、胴部７１の他端側（図１〜図４及び図７では下端側）において内側にフトコロ７４を有するように略１８０°湾曲する湾曲部７５を備えている。また、湾曲部７５の先端（図１〜図４及び図７では上端）には、針先部７２が設けられている。この針先部７２は、湾曲部７５の先端（図１〜図４及び図７では上端）に鋭利に突出する針先７６を備えている。
【００２４】
更に、釣り針本体７０の胴部７１には、当該胴部７１のチモト７３側より針先部７２側へ延びる線材３が設けられている。線材３は、ポリプロピレンなどの塑性変形し難い合成樹脂により針状に形成されている。
【００２５】
線材３は、釣り針本体７０のチモト７３より屈曲部３１において屈曲された状態で先端が針先部７２の先端よりも若干湾曲部７５寄りに向かう方向へ真直ぐ直線状に延びている。この場合、線材３の先端は、針先部７２に対し接触する直前まで延びている。
【００２６】
線材３は、その基部が胴部７１に沿って延び、図示しないエナメル線によって胴部７１に対し接着材２１の上から巻回された状態で接着剤２２が塗布されて強固に固着されている。
【００２７】
図８は図１の釣り針７の使用状態を示す側面図を示している。図８に示すように、釣り針７が使用されるルアー４は、魚などに擬したボディーをハード系素材（ＡＢＳ樹脂）等により構成するルアー本体５を備えている。ルアー本体５は、長手方向（前後方向）で２つに分割され、ルアー本体５の前側に位置する前側分割片５１と、この前側分割片５１の後側に相隣なる後側分割片５２とを備えている。後側分割片５２の後端には、尾鰭５０が設けられている。
【００２８】
釣り針７は、ルアー本体５の後側分割片５２の下端と前側分割片５１の下端とにそれぞれ固設されたフックアイ５７，５７に取り付けられている。具体的には、釣り針７は、それぞれのチモト７３がスプリットリング５８を介してフックアイ５７に取り付けられている。
【００２９】
各フックアイ５７は、略ひょうたん型に形成されたフックアイ本体５６の下部に設けられている。各フックアイ本体３の上部は、前側及び後側分割片５１，５２の下端の前後方向略中間位置に埋設された状態で固定されている。そして、各フックアイ本体５６のフックアイ５７は、前側及び後側分割片５１，５２の下端の前後方向略中間位置よりそれぞれ下方へ露出している。
【００３０】
また、前側分割片５１の前端には、図示しないリールから繰り出されたライン６１の先端を結わえて固定するラインアイ５９が固設されている。このラインアイ５９は、略ひょうたん型に形成されたラインアイ本体６０の前部に設けられている。このラインアイ本体６０の後部は、前側分割片５１の先端（前端）の上下方向略中央位置（魚の鼻が位置する部位）付近に埋設された状態で固定されている。そして、ラインアイ５９は、前側分割片５１の先端（前端）の上下方向略中央位置より前方へ露出している。
【００３１】
前側分割片５１の後端は、上方から見た横断面視で前方へ向かって略＜字状に凹む凹部５４を有する一方、後側分割片５２の前端は、上方から見た横断面視で前方へ向かって略＜字状に突出する凸部５５を有している。そして、前側分割片５１と後側分割片５２とは、前側分割片５１及び後側分割片５２の左右方向への湾曲がスムーズに行えるようにジョイント（図示せず）を介して連結されている。
【００３２】
したがって、本実施の形態では、シングルフックを適用した釣り針本体７０の胴部７１のチモト７３側に基端を固定した状態で先端を針先部７２の先端よりも若干湾曲部７５寄りに向かう方向へ延ばした線材３が、塑性変形し難い材料により形成されているので、針先部７２に掛かった魚の体の部位をフトコロ７４内に閉じ込めるように、胴部７１に沿う方向へ弾性変形した際や釣り針本体７０のフトコロ７４から針先部７２を経て離反する方向へ弾性変形した際に、先端が針先部７２の先端よりも若干湾曲部７５寄りに向かう方向へ復帰するように付勢する付勢力を線材３に作用させている。
【００３３】
このため、図９に示すように、シングルフックの針先部７２の針先７６が魚の体の部位に埋まった状態では線材３が胴部７１に沿う位置（図９に二点鎖線で示す位置）に近付くように弾性変形すると、先端を針先部７２の先端よりも若干湾曲部７５寄りに向かう方向へ復帰させるような付勢力が線材３に作用している。このとき、魚の体の部位に埋まった針先部７２に対し線材３の付勢力によって針先７６が埋まった魚の体の部位を線材３により押し付けることでフトコロ７４内に閉じ込めている。
【００３４】
一方、図１０に示すように、魚に掛かった針先７６が魚の体の部位を貫通した状態では線材３が釣り針本体７０のフトコロ７４から針先７６を経て離反する位置（図１０に二点鎖線で示す位置）まで弾性変形すると、先端を針先部７２の先端よりも若干湾曲部７５寄りに向かう方向へ復帰させるような付勢力が線材３に作用している。このとき、魚の体の部位を貫通した針先部７２に対し線材３の先端が付勢力によって元通り復帰しようとすることで、針先７６とこの針先７６が貫通した魚の体の部位を線材３によってカラビラのようにフトコロ７４内に閉じ込めている。
【００３５】
これにより、ライン６１に弛みが生じたり、魚が暴れたりしても、針先部７２に掛かった魚のバラシを効果的に防止することができる。
【００３６】
また、線材３の基端において屈曲部３１により先端が針先部７２の先端よりも若干湾曲部７５寄りに向かうように屈曲した状態で当該線材３の先端側が直線状に延びているので、線材３の先端を簡単に針先部７２の先端よりも若干湾曲部７５寄りに向かわせることができ、シンプルな構造の線材３を提供することができる。
【００３７】
次に、本考案の第２の実施の形態を図１１〜図１３に基づいて説明する。
【００３８】
この実施の形態では、シングルフックを適用した釣り針本体７０を備える釣り針７に代えて、ダブルフックを適用した釣り針本体を備える釣り針に変更している。なお、釣り針本体を除くその他の構成は前記第１の実施の形態と同じであり、同一部分については同じ符号を付してその詳細な説明は省略する。
【００３９】
図１１は本考案の第２の実施の形態に係るダブルフックの釣り針本体を備えた釣り針を正面から見た正面図、図１２は図１１の釣り針を上方から見た平面図、図１３は図１１の釣り針を斜め側方から見た斜視図をそれぞれ示している。
【００４０】
図１１〜図１３に示すように、釣り針８は、ダブルフックを適用した釣り針本体８０を備えている。この釣り針本体８０は、２つの胴部８１，８１の軸ｎを中心にしてそれぞれの針先部８２，８２が互いに９０°ピッチで離間している。各胴部８１同士は、互いに重合させた状態で接着剤２１により強固に固着されている。
【００４１】
また、各胴部８１の一端側（図１１及び図１３では上端側）には、接着剤２１より突出する円環状のチモト８３が設けられている。このチモト８３は、各胴部８１のうちのいずれか一方の胴部８１の一端側を円環状に折り曲げて形成され、その折り曲げた折り返し端が各胴部８１の一端側に接着剤２１により一体的に固着されている。
【００４２】
また、釣り針本体８０は、各胴部８１の他端側（図１１及び図１３では下端側）において内側にフトコロ８４を有するようにそれぞれ略１８０°湾曲する湾曲部８５を備えている。また、各針先部８２は、湾曲部８５の先端（図１１及び図１３では上端）に鋭利に突出する針先８６を備えている。
【００４３】
更に、釣り針本体８０の各胴部８１には、当該各胴部８１のチモト８３側より各針先部８２側へ延びる線材３が設けられている。各線材３は、釣り針本体８０のチモト８３より屈曲部３１においてそれぞれ屈曲された状態で先端がそれぞれに該当する針先部８２の先端よりも若干湾曲部８５寄りに向かう方向へ真直ぐ直線状に延びている。各線材３の先端は、それぞれに該当する針先部８２に対し接触する直前まで延びている。
【００４４】
各線材３は、その基部がそれぞれに該当する胴部８１に沿って延び、図示しないエナメル線によって当該各胴部８１に対し接着材２１の上から巻回された状態で接着剤２２が塗布されて強固に固着されている。
【００４５】
したがって、本実施の形態では、ダブルフックを適用した釣り針本体８０のチモト８３より屈曲部３１においてそれぞれ屈曲させた状態で各線材３の先端がそれぞれに該当する針先部８２の先端よりも若干湾曲部８５寄りに向かう方向へ延びているので、ダブルフックの釣り針本体８０の針先８６が魚の体の部位に埋まった際に針先部８２に対し線材３の付勢力によって魚の体の部位を押し付けてフトコロ８４内に閉じ込める一方、ダブルフックの釣り針本体８０の針先８６が魚の体の部位を貫通した際に針先部８２に対し線材３の付勢力によって魚の体の部位をカラビラのようにフトコロ８４内に閉じ込める。これにより、ライン６１に弛みが生じたり、魚が暴れたりしても、ダブルフックの釣り針本体８０の針先部８２に掛かった魚のバラシを効果的に防止することができる。
【００４６】
次に、本考案の第３の実施の形態を図１４〜図１９に基づいて説明する。
【００４７】
この実施の形態では、トリプルフックを適用した釣り針本体を備える釣り針に変更している。なお、釣り針本体を除くその他の構成は前記第１の実施の形態と同じであり、同一部分については同じ符号を付してその詳細な説明は省略する。
【００４８】
図１４は本考案の第３の実施の形態に係るトリプルフックの釣り針本体を備えた釣り針を正面から見た正面図、図１５は図１４の釣り針を背面から見た背面図をそれぞれ示している。また、図１６は図１４の釣り針を右側方から見た右側面図、図１７は図１４の釣り針を左側方から見た左側面図をそれぞれ示している。更に、図１８は図１４の釣り針を上方から見た平面図、図１９は図１４の釣り針を下方から見た底面図をそれぞれ示している。
【００４９】
図１４〜図１９に示すように、釣り針１は、トリプルフックを適用した釣り針本体１０を備えている。この釣り針本体１０は、３つの胴部１１，１１，１１の軸ｍを中心にしてそれぞれの針先部１２，１２，１２が互いに１２０°ピッチで離間している。各胴部１１同士は、互いに重合させた状態で接着剤２１により強固に固着されている。
【００５０】
また、各胴部１１の一端側（図１４〜図１７では上端側）には、接着剤２１より突出する円環状のチモト１３が設けられている。このチモト１３は、各胴部１１のうちのいずれか一方の胴部１１の一端側を円環状に折り曲げて形成され、その折り曲げた折り返し端が各胴部１１の一端側に接着剤２１により一体的に固着されている。
【００５１】
図２０は図１４の釣り針を斜め側方から見た斜視図を示している。この図２０にも示すように、釣り針本体１０は、各胴部１１の他端側（図１４〜図１７及び図２０では下端側）において内側にフトコロ１４を有するようにそれぞれ略１８０°湾曲する湾曲部１５を備えている。また、各針先部１２は、湾曲部１５の先端（図１４〜図１７及び図２０では上端）に鋭利に突出する針先１６を備えている。
【００５２】
更に、釣り針本体１０の各胴部１１には、当該各胴部１１のチモト１３側より各針先部１２側へ延びる線材３が設けられている。各線材３は、釣り針本体１０のチモト１３より屈曲部３１においてそれぞれ屈曲された状態で先端がそれぞれに該当する針先部１２の先端よりも若干湾曲部１５寄りに向かう方向へ真直ぐ直線状に延びている。各線材３の先端は、それぞれに該当する針先部１２に対し接触する直前まで延びている。
【００５３】
各線材３は、その基部がそれぞれに該当する胴部１１に沿って延び、図示しないエナメル線によって当該各胴部１１に対し接着材２１の上から巻回された状態で接着剤２２が塗布されて強固に固着されている。
【００５４】
図２１は図１４の釣り針１の使用状態を示す側面図を示している。この図２１に示すように、釣り針１は、ルアー本体５の後側分割片５２及び前側分割片５１の下端のフックアイ５７，５７にスプリットリング５８を介して取り付けられている。
【００５５】
したがって、本実施の形態では、トリプルフックを適用した釣り針本体１０の各胴部１１のチモト１３側に基端を固定した状態で先端をそれぞれ該当する針先部１２の先端よりも若干湾曲部１５寄りに向かう方向へ延ばした線材３が、塑性変形し難い材料により形成されているので、針先部１２に掛かった魚の体の部位をフトコロ１４内に閉じ込めるように、各胴部１１に沿う方向へ弾性変形した際や釣り針本体１０のフトコロ１４から針先部１２を経て離反する方向へ弾性変形した際に、先端が針先部１２の先端よりも若干湾曲部１５寄りに向かう方向へ復帰するように付勢する付勢力を線材３に作用させている。
【００５６】
このため、図２２に示すように、トリプルフックの３本の針先部１２，１２，１２のうちの魚に掛かった針先部１２の針先１６が魚の体の部位に埋まった状態では線材３が胴部１１に沿う位置（図２２に二点鎖線で示す位置）に近付くように弾性変形すると、先端を針先部１２の先端よりも若干湾曲部１５寄りに向かう方向へ復帰させるような付勢力が線材３に作用している。このとき、魚の体の部位に埋まった針先部１２に対し線材３の付勢力によって針先１６が埋まった魚の体の部位を線材３により押し付けることでフトコロ１４内に閉じ込めている。
【００５７】
一方、図２３に示すように、魚に掛かった針先１６が魚の体の部位を貫通した状態では線材３が釣り針本体１０のフトコロ１４から針先１６を経て離反する位置（図２３に二点鎖線で示す位置）まで弾性変形すると、先端を針先部１２の先端よりも若干湾曲部１５寄りに向かう方向へ復帰させるような付勢力が線材３に作用している。このとき、魚の体の部位を貫通した針先部１２に対し線材３の先端が付勢力によって元通り復帰しようとすることで、針先１６とこの針先１６が貫通した魚の体の部位を線材３によってカラビラのようにフトコロ１４内に閉じ込めている。
【００５８】
これにより、ライン６１に弛みが生じたり、魚が暴れたりしても、針先部１２に掛かった魚のバラシを効果的に防止することができる。
【００５９】
また、各線材３の基端において屈曲部３１により先端がそれぞれの該当する針先部１２の先端よりも若干湾曲部１５寄りに向かうように屈曲した状態で当該線材３の先端側が直線状に延びているので、各線材３の先端を簡単に針先部１２の先端よりも若干湾曲部１５寄りに向かわせることができ、シンプルな構造の各線材３を提供することができる。
【００６０】
なお、本考案は前記各実施の形態に限定されるものではなく、その他種々の変形例を包含している。例えば、前記各実施の形態では、シングルフック、ダブルフック、又はトリプルフックを適用した釣り針本体７０，８０，１０を備える釣り針７，８，１について述べたが、４つ以上の胴部の軸を中心にしてそれぞれの針先部が互いに離れて配置されたフックを適用した釣り針本体を備える釣り針であってもよい。
【００６１】
また、前記各実施の形態では、線材３を針先部７２，８２，１２の先端よりも若干湾曲部７５，８５，１５寄りに向かう方向へ延ばしたが、図２４〜図２６に示すように、針先部７２，８２，１２の針先７６，８６，１６の内奥にカエシ７７，８７，１７が設けられている場合には、このカエシ７７，８７，１７に向かう方向へ線材３を延ばしていてもよい。このとき、線材３による魚のバラシ防止効果に加え、カエシ７７，８７，１７による魚のバラシ防止効果も発揮され、より効果的に魚のバラシを防止することができる。
【００６２】
また、前記各実施の形態では、線材３の先端をそれぞれに該当する針先部７２，８２，１２に対し接触する直前まで延ばしたが、線材の先端がそれぞれに該当する針先部を超える長さに設定されていてもよい。
【００６３】
また、前記各実施の形態では、釣り針７，８，１をルアー４のルアー本体５に装着したが、リールから繰り出されたラインの先端に釣り針のチモトが直に結わえられて固定されていてもよい。
【００６４】
更に、前記各実施の形態では、胴部７１，８１，１１の一端側を円環状に折り曲げてチモト７３，８３，１３を形成したが、胴部の一端を平坦となるように潰してチモトが形成されていてもよい。
【００６５】
また、前記各実施の形態では、線材３の基部を胴部７１，８１，１１の接着材２１の上からエナメル線により巻回した状態で接着剤２２を塗布して強固に固着したが、既存の釣り針本体の胴部の上から線材の基部が、エナメル線などにより巻回した状態で接着剤を塗布したり、接着剤のみを塗布するなどして強固に固着されていてもよい。この場合には、既存の釣り針に後付けで線材を取り付けることが可能となり、線材の汎用性を図ることができる。
【００６６】
また、前記各実施の形態では、線材３を、釣り針本体７０，８０，１０のチモト７３，８３，１３より屈曲部３１において屈曲された状態で先端が針先部７２，８２，１２の先端よりも若干湾曲部７５，８５，１５寄りに向かう方向へ真直ぐ直線状に延ばしたが、線材が基部より先端を針先部の先端よりも若干湾曲部寄りに向かう方向へ湾曲させた状態で延ばしていてもよい。
【００６７】
また、前記各実施の形態では、線材３を塑性変形し難いポリプロピレンなどの合成樹脂により針状に形成したが、線材が塑性変形し難いプラスチックや金属などのほか、ポリプロピレン以外の合成樹脂によって針状に形成されていてもよい。
【００６８】
更に、前記各実施の形態では、ルアー本体５をＡＢＳ樹脂などのハード系素材により成形したが、その他の合成樹脂や木材又は合成木材などのほか、金属や非鉄金属により成形されたルアー本体であってもよい。
【００６９】
また、前記各実施の形態では、ルアー本体５を長手方向で２つに分割したが、３つ以上に分割されていてもよいのはいうまでもない。
【符号の説明】
【００７０】
１          釣り針
１０        釣り針本体
１１        胴部
１２        針先部
１３        チモト
１４        フトコロ
１５        湾曲部
１６        針先
３          線材
３１        屈曲部
７          釣り針
７０        釣り針本体
７１        胴部
７２        針先部
７３        チモト
７４        フトコロ
７５        湾曲部
７６        針先
８          釣り針
８０        釣り針本体
８１        胴部
８２        針先部
８３        チモト
８４        フトコロ
８５        湾曲部
８６        針先
【図１】
0003231884.tif 000003
【図２】
0003231884.tif 000004
【図３】
0003231884.tif 000005
【図４】
0003231884.tif 000006
【図５】
0003231884.tif 000007
【図６】
0003231884.tif 000008
【図７】
0003231884.tif 000009
【図８】
0003231884.tif 000010
【図９】
0003231884.tif 000011
【図１０】
0003231884.tif 000012
【図１１】
0003231884.tif 000013
【図１２】
0003231884.tif 000014
【図１３】
0003231884.tif 000015
【図１４】
0003231884.tif 000016
【図１５】
0003231884.tif 000017
【図１６】
0003231884.tif 000018
【図１７】
0003231884.tif 000019
【図１８】
0003231884.tif 000020
【図１９】
0003231884.tif 000021
【図２０】
0003231884.tif 000022
【図２１】
0003231884.tif 000023
【図２２】
0003231884.tif 000024
【図２３】
0003231884.tif 000025
【図２４】
0003231884.tif 000026
【図２５】
0003231884.tif 000027
【図２６】
0003231884.tif 000028
【手続補正書】
【提出日】令和3年3月8日(2021.3.8)
【手続補正１】
【補正対象書類名】実用新案登録請求の範囲
【補正対象項目名】全文
【補正方法】変更
【補正の内容】
【実用新案登録請求の範囲】
【請求項１】
釣り針本体の胴部に当該胴部のチモト側より湾曲部を超えて針先部側へ延びる線材を設けており、
前記線材は、塑性変形し難い材料により形成され、前記胴部のチモト側に基端を固定した状態で先端が前記針先部の先端よりも若干湾曲部寄りに向かう方向へ延びているとともに、
前記線材には、前記針先部に掛かった魚の部位を前記釣り針本体のフトコロ内に閉じ込めるように、前記胴部に沿う方向へ弾性変形した際に先端を前記針先部の先端よりも湾曲部寄りに向かう方向へ復帰させるような付勢力が作用している一方前記釣り針本体のフトコロから前記針先部を経て離反する方向へ弾性変形した際に先端を前記針先部の先端よりも湾曲部寄りに向かう方向へ復帰させるような付勢力が作用していることを特徴とする釣り針。
【請求項２】
前記線材は、その基端において先端が前記針先部の先端よりも湾曲部寄りに向かうように屈曲する屈曲部を有し、この屈曲部より先端側が直線状に延びている請求項１に記載の釣り針。
【請求項３】
前記釣り針本体としては、前記胴部の軸を中心にして２本の針先部が互いに９０°ピッチで離間するダブルフックが適用され、
前記線材は、前記釣り針本体のチモトより前記屈曲部においてそれぞれ屈曲された状態で先端がそれぞれに該当する前記針先部の先端よりも湾曲部寄りに向かう方向へ延びている請求項２に記載の釣り針。
【請求項４】
前記釣り針本体としては、前記胴部の軸を中心にして３本の針先部が互いに１２０°ピッチで離間するトリプルフックが適用され、
前記線材は、前記釣り針本体のチモトより前記屈曲部においてそれぞれ屈曲された状態で先端がそれぞれに該当する前記針先部の先端よりも湾曲部寄りに向かう方向へ延びている請求項２に記載の釣り針。
【請求項５】
前記針先部には、当該針先部に掛かった魚の抜け落ちを防止するカエシが設けられており、
前記線材の先端は、前記針先部のカエシに向かう方向へ延びている請求項１〜４のいずれか１つに記載の釣り針。
【手続補正２】
【補正対象書類名】明細書
【補正対象項目名】０００６
【補正方法】変更
【補正の内容】
【０００６】
前記目的を達成するため、本考案では、釣り針として、釣り針本体の胴部に当該胴部のチモト側より湾曲部を超えて針先部側へ延びる線材を設ける。更に、前記線材を、塑性変形し難い材料により形成し、前記胴部のチモト側に基端を固定した状態で先端を前記針先部の先端よりも若干湾曲部寄りに向かう方向へ延ばしている。そして、前記線材に、前記針先部に掛かった魚の体の部位を前記釣り針本体のフトコロ内に閉じ込めるように、前記胴部に沿う方向へ弾性変形した際に先端を前記針先部の先端よりも湾曲部寄りに向かう方向へ復帰させるような付勢力を作用させている一方前記釣り針本体のフトコロから前記針先部を経て離反する方向へ弾性変形した際に先端を前記針先部の先端よりも湾曲部寄りに向かう方向へ復帰させるような付勢力を作用させることを特徴としている。